(57)【特許請求の範囲】
【請求項１】
端部を一面から他方の面に傾斜する傾斜面とした保持板と、端部を一面から他方の面に傾斜する傾斜面とした押え板と、端部を一面から他方の面に傾斜する傾斜面とした刃区および前記刃区から後端へ延びる平板状の棟区とからなる刃物とを有し、前記保持板の傾斜面に前記刃物の棟区の前記一面を当接し、前記刃物の棟区の前記他の一面に前記押え板の前記他方の面を当接して、前記保持板の傾斜面と前記押え板の前記他方の面とで前記刃物の棟区を挾んで固定して前記刃物の刃区を前記保持板の端部および前記押え板の端部から突出させてなる裁断器において、前記刃物の棟区に前記刃物の刃区の後端よりも厚みを薄くする段部を形成し、前記押さえ板の先端部を前記段部内に配置してなることを特徴とする裁断器。
【発明の詳細な説明】
【０００１】
【発明の属する技術分野】
本発明は、用紙を裁断する裁断器に関するものである。
【０００２】
【従来の技術】
図４は用紙を裁断する断裁機の一例を示すもので、裁断する用紙を載置するテーブル１の後端部に断裁機本体２が設置されている。断裁機本体２は両側の端部のそれぞれに斜め下方に向かって伸びるガイド長穴３ａを有するフレーム３と、このフレーム３に用紙を裁断する裁断器４と裁断器４を駆動する駆動機構８が装着されている。
【０００３】
裁断器４は、刃物５と刃物５を固定保持する保持板６および押さえ板７とからなり、刃物５は保持板６と押さえ板７で挾んでボルトなどを挿通して保持板６に固定保持されている。保持板６には摺動突起が形成され、この摺動突起がフレーム３のガイド長穴３ａと摺動自在に嵌合している。駆動機構８は図示しないモータにより回転駆動する動力カム８ａと一端を動力カム８ａに回転自在に連結したクランク８ｂとからなり、クランク８ｂの他端は裁断器４の保持板６の端部に回転自在に連結している。
【０００４】
動力カム８ａが回転駆動すると、クランク８ｂが昇降し、このクランク８ｂに連結された裁断器４はガイド長穴３ａにしたがって斜め上下方向に昇降する。テーブル１の後端には、下降した刃物５の刃先を食い込ませる裁断スティック９が設けられている。用紙を裁断するとき、裁断器４を上昇位置に置き、テーブル１上に用紙の裁断位置を裁断スティック９上に位置させて置く。そして、動力カム８ａを回転駆動し、裁断器４を下降してその用紙を裁断する。動力カム８ａはそのまま回転を続け裁断器４を上昇位置に置いて停止する。
【０００５】
【発明が解決しようとする課題】
ところで、このような断裁機における裁断器４は、図５に示すように刃物５が平坦な板状の鋼の長手方向の端部を、一面から他方の面に傾斜する傾斜面５ｃとした先端を刃先に形成した刃区５ａとその刃区５ａにつづいて棟区５ｂが形成され、傾斜面５ｃ側の棟区５ｂを保持板６の端部に斜めに当接し（この当接により傾斜面５ｃは用紙Ｐに対して垂直となる。）、反対側の棟区５ｂに長手方向の端部を一面から他方の面に傾斜する傾斜面７ａとした押さえ板７の傾斜面７ａとした反対側を当接する構成とされている。
【０００６】
このように構成された裁断器４は、用紙Ｐの裁断に際し、用紙Ｐの枚数が少ないなどその厚みが押さえ板７や保持板６から突出する刃物５の刃区５ａよりも薄い場合には何ら問題はないが、用紙Ｐの枚数が多いなどその厚みが刃区５ａよりも厚い場合、押さえ板７の先端７ｂが用紙Ｐに当接した時に押さえ板７の先端７ｂ部と刃物５の刃区５ａとの間に用紙Ｐを挟み込んで裁断器４を停止させ、最悪の場合には断裁機全体に悪影響を及ぼすという問題があった。
【０００７】
本発明は、このような問題を解消すべくなされたもので、裁断する用紙の厚みにかかわらず用紙の挟み込みをなくすることのできる裁断器を提供することを目的とする。
【０００８】
【課題を解決するための手段】
本発明は、端部を一面から他方の面に傾斜する傾斜面とした保持板と、端部を一面から他方の面に傾斜する傾斜面とした押え板と、端部を一面から他方の面に傾斜する傾斜面とした刃区および前記刃区から後端へ延びる平板状の棟区とからなる刃物とを有し、前記保持板の傾斜面に前記刃物の棟区の前記一面を当接し、前記刃物の棟区の前記他の一面に前記押え板の前記他方の面を当接して、前記保持板の傾斜面と前記押え板の前記他方の面とで前記刃物の棟区を挾んで固定して前記刃物の刃区を前記保持板の端部および前記押え板の端部から突出させてなる裁断器において、前記刃物の棟区に前記刃物の刃区の後端よりも厚みを薄くする段部を形成し、前記押さえ板の先端部を前記段部内に配置してなることを特徴とする。
【０００９】
本発明は、刃物の刃区の後端に傾斜面を形成した平面側にへこむ段部を形成し、その段部内に押さえ板の先端部が位置するように構成するので、用紙の裁断時、裁断する用紙が押さえ板の先端に当接することがなくなる。
【００１０】
【発明の実施の形態】
以下、本発明の実施の形態について図を参照して説明する。図１は実施の形態に係る裁断器の刃物を引き出して示す斜視図、図２は図１に示す裁断器の断面図、図３は図１に示す裁断器の作用を説明する説明図である。なお、図１に示す裁断器は、図４に示す断裁機などに装着されるものである。
【００１１】
図１ないし図３において、１４は裁断器、１５は刃物、１６は保持板、１７は押さえ板、１８はボルト（図２に示す。）である。刃物１５は平坦なほぼ長方形の板状の鋼の長手方向に伸びる端部を一面から他方の面に傾斜する傾斜面１５ｃに形成し、その先端を刃先とする刃区１５ａとその刃区１５ａの後端に傾斜面１５ｃを形成した側の面の方向に例えば０．５ｍｍ程度へこむ段部１５ｄが形成され、その段部１５ｄから端部に延びる、刃区１５ａの後端の厚みよりも段部１５ｄ分薄くした平板状の棟区１５ｂが形成されている。段部１５ｄが形成された側の棟区１５ｂの端部の表面に、長手方向に伸びるガイド凸部１５ｅが形成されている。また、棟区１５ｂは刃区１５ａよりも多少長く形成されその端部にストッパピン１５ｆが設けられている。
【００１２】
押さえ板１７は平坦なほぼ長方形の金属製の板体からなり、板体の長手方向に伸びる端部に一面から他方の面に傾斜する傾斜面１７ａが形成され、先端を鋭角に形成され、後端にボルト１８の頭部を固定する肩部を形成したボルト挿通孔１７ｂが形成されている。傾斜面１７ａが形成された反対側の平面に刃物１５のガイド凸部１５ｄと嵌合する長手方向に伸びるガイド凹部１７ｃが形成されている。
【００１３】
保持板１６は平坦なほぼ長方形の金属製の板体からなり、板体の長手方向に伸びる端部に押さえ板１７の厚み幅とほぼ同程度の幅の段部１６ａが形成され、その段部１６ａから段部１６ａが形成された反対側の面に伸びる傾斜面１６ｃが形成され、その傾斜面１６ｃの途中に刃物１５の棟区１５ｂの厚み幅とほぼ同程度の幅の段部１６ｂが形成されている。保持板１６の長手方向の両側の端部に図４に示す断裁機のフレーム３のガイド長穴３ａと摺動自在に嵌合する摺動突起１６ｄが設けられている（図１では摺動突起は反対側の面から突出している。）。
【００１４】
そして、保持板１６の段部１６ａが形成された傾斜面１６ｂに押さえ板１７の傾斜面１７ａが形成された反対側の面を当接し、ボルト１８を挿通して保持板１６に押さえ板１７を固定する（押さえ板１７の後端面は段部１６ａに当接している。）。その後、刃物１５のガイド凸部１５ｄを押さえ板１７のガイド凹部１７ｃに嵌め、棟区１５ｂの傾斜面１５ｃを形成した側の面を保持板１６の段部１６ｃが形成された先端側の傾斜面に当接してストッパピン１５ｅが押さえ板１７の端面に当接するまで押し込む（刃物１５の後端面（峰部）は段部１６ｂに当接している。）。これにより裁断器１４が完成する。刃物１５を交換などにより取り外す場合は、刃物１５を抜き出すだけで簡単に取り外すことができる。
【００１５】
完成した裁断器１４では、刃物１５の刃区１５ａの傾斜面１５ｃは、保持板１６の傾斜面１６ｃが形成された反対側の面よりも外側に位置し、また、押さえ板１７の先端部は刃物１５の段部１５ｄ内に位置する。したがって、用紙の裁断時、図３に示すように用紙Ｐの枚数が多く厚い場合であっても、保持板１６および押さえ板１７の先端が用紙Ｐに当接することがなくなる。
【００１６】
なお、裁断器１４を図４に示すような断裁機に装着すると、刃物１５は垂直方向に対し傾斜するが、用紙を裁断するときに受ける垂直方向の反力は、重量物の保持板１６に吸収されるので、この反力によって刃物１５を脱落することはない。また、水平方向の反力（斜め下方に向かって裁断するのでこの反力も発生する。）はストッパピン１５ｅで受けるので、この反力によって刃物１５が抜け落ちることもない。
【００１７】
【発明の効果】
以上、詳述したように発明によれば、用紙の裁断時、保持板および押さえ板の先端が裁断する用紙に当接することがなくなるので、用紙の裁断は滑らかであり、また、断裁機に装着しても紙詰まりによる断裁機の故障はなく、信頼性の高い断裁機を得ることができる。
【図面の簡単な説明】
【図１】本発明の実施の形態に係る裁断器の斜視図である。
【図２】図１に示す裁断器の断面図である。
【図３】図１に示す裁断器の動作説明図である。
【図４】断裁機の構成を示す斜視図である。
【図５】従来の裁断器の動作説明図である。
【符号の説明】
１４    裁断器
１５    刃物
１５ａ  刃区
１５ｂ  棟区
１５ｃ  傾斜面
１５ｄ  段部
１５ｅ  ガイド凸部
１５ｆ  ストッパピン
１６    保持板
１６ａ  段部
１６ｂ  傾斜面
１６ｃ  段部
１７    押さえ板
１７ａ  傾斜面
１７ｂ  ボルト挿通孔
１７ｃ  ガイド凹部
１８    ボルト
【図１】
0004267239.tif 000002
【図２】
0004267239.tif 000003
【図３】
0004267239.tif 000004
【図４】
0004267239.tif 000005
【図５】
0004267239.tif 000006